(57)【要約】【課題】構造が簡単で、多段に積重ねられた被洗浄体を１つ、１つ引き離す引き離し作業が迅速に行なえる優れた作業性を確保する。【解決手段】被洗浄体支持部７ａ，７ｂを上下二段の落下用回転体１９と待機用回転体２１とで構成し、下位の落下用回転体１９は受面１９ｂにより積重ねられた最下位の被洗浄体３を支持する一方、支持解除用切欠部１９ａによって被洗浄体受部９へ向け落下させる。上位の待機用回転体２１の待機支持面２１ｂは前記受面１９ｂによって支持された最下位と次に位置する二番目の被洗浄体３の間に入り込み最下位の被洗浄体３が支持解除用切欠部１９ａから落下するまで仮支持を続ける。待機用回転体２１の支持解除用切欠部２１ａは最下位の被洗浄体３が落下すると支持部位Ｐに回動してくる落下用回転体１９の受面１９ｂに対して二番目の被洗浄体３の支持を解除し落下させる。【選択図】図１
2008068905.tif 000002
【特許請求の範囲】
【請求項１】
被洗浄体を所定の高さに積重ねてセットする被洗浄体セット部と、前記被洗浄体セット部に積重ねられた最下位の被洗浄体を支持する対向配置された４箇所の被洗浄体支持部と、前記被洗浄体支持部によって支持が解除され落下した被洗浄体を受ける被洗浄体受部とを有し、
前記４箇所に配置された被洗浄体支持部を上下２段の落下用回転体と待機用回転体の組合せ構造とし、前記下位の落下用回転体は、回転体の一部分がカットされた落下用の支持解除用切欠部と被洗浄体を受ける半月状の受面が前記被洗浄体の支持部位に対して交互に臨むよう回転自在に支持される一方、前記上位の待機用回転体は、前記落下用回転体と同期して回転し前記被洗浄体の支持部位に対して交互に臨む回転体の一部分がカットされた落下用の支持解除用切欠部と半月状の待機支持面とからなり、前記半月状の待機支持面は落下用回転体の受面で受けた最下位と次に位置する二番目の被洗浄体の間に入り落下用回転体が最下位の被洗浄体を落下させるまで仮支持を続けると共に、支持解除用切欠部は最下位の被洗浄体が前記支持解除用切欠部から落下した後、続いて被洗浄体の支持部位へ回動してくる落下用回転体の受面へ向けて二番目の被洗浄体の支持を解除し落下させる形状となっていることを特徴とする洗浄装置の被洗浄体送り出し装置。
【請求項２】
前記２段の落下用回転体と待機用回転体の内、少なくても待機用回転体は、最下位の被洗浄体と次に位置する二番目の被洗浄体の隙間より薄い板厚の形状となっていることを特徴とする請求項１記載の洗浄装置の被洗浄体送り出し装置。
【請求項３】
前記被洗浄体受部は、落下した被洗浄体を洗浄装置へ向けて搬送する搬送装置を備えていることを特徴とする請求項１記載の洗浄装置の被洗浄体送り出し装置。
【請求項４】
前記落下用回転体と待機用回転体の間で前記待機用回転体の外周裏面に、重なり合った被洗浄体同志を引き離す引き離し部材が設けられていることを特徴とする請求項１又は２記載の洗浄装置の被洗浄体送り出し装置。
【発明の詳細な説明】
【技術分野】
【０００１】
本発明は、多段に積重ねられた被洗浄体を１つ１つ引き離して洗浄装置へ送り出す洗浄装置の被洗浄体送り出し装置に関する。
【背景技術】
【０００２】
一般に養鶏場の卵は卵容器に入れて出荷され出荷後はそれを回収して洗浄した後、繰返し使用される。
【０００３】
卵容器は板状に形成された容器本体に対して卵を入れる窪み部が縦・横に整列して設けられた形状となっていて、回収時は多段に積重ねられた状態で回収される。
【０００４】
多段に積重ねられた卵容器は、洗浄装置へ送り出す時に１つ１つ引き離す必要があるため、吸収装置等の吸引手段を用いることが一般的な手段となっている。
【０００５】
その外にも特許文献１に示すようにトレー供給移動装置によってトレーを１つ１つ検査位置まで移動させる手段が知られている。
【特許文献１】特開２００５−１５３９２８号
【発明の開示】
【発明が解決しようとする課題】
【０００６】
積重ねられた卵容器等の被洗浄体を１つ１つ引き離す前者の吸引手段は真空引きするためコンプレッサ等の吸引装置や吸引部並びにそれらを制御する制御部等が必要となり装置全体が大型化し複雑な構造を招く。しかも、吸引部は吸引位置及び送り出し位置へ回動することで行なわれるため、１つ１つ引き離してから送り出すまでの時間がかかり作業性の面でも望ましくなかった。
【０００７】
また、後者の手段にあっては、トレー専門カート、引き出し用ガイド、引き出し用の爪を有するトレー移動部が必要となる等大がかりな装置となる。
【０００８】
そこで、本発明にあっては構造が簡単で１つ１つの引き離し作業が迅速に行なえる作業性に優れた洗浄装置の被洗浄体送り出し装置を提供することを目的としている。
【課題を解決するための手段】
【０００９】
前記目的を達成するために、本発明にあっては、被洗浄体を所定の高さに積重ねてセットする被洗浄体セット部と、前記被洗浄体セット部に積重ねられた最下位の被洗浄体を支持する対向配置された４箇所の被洗浄体支持部と、前記被洗浄体支持部によって支持が解除され落下した被洗浄体を受ける被洗浄体受部とを有し、前記４箇所に配置された被洗浄体支持部を上下２段の落下用回転体と待機用回転体の組合せ構造とし、前記下位の落下用回転体は、回転体の一部分がカットされた落下用の支持解除用切欠部と被洗浄体を受ける半月状の受面が前記被洗浄体の支持部位に対して交互に臨むよう回転自在に支持される一方、前記上位の待機用回転体は、前記落下用回転体と同期して回転し前記被洗浄体の支持部位に対して交互に臨む回転体の一部分がカットされた落下用の支持解除用切欠部と半月状の待機支持面とからなり、前記半月状の待機支持面は落下用回転体の受面で受けた最下位と次に位置する二番目の被洗浄体の間に入り落下用回転体が最下位の被洗浄体を落下させるまで仮支持を続けると共に、支持解除用切欠部は最下位の被洗浄体が前記支持解除用切欠部から落下した後、続いて被洗浄体の支持部位へ回動してくる落下用回転体の受面へ向けて二番目の被洗浄体の支持を解除し落下させる形状となっていることを特徴とする。
【発明の効果】
【００１０】
本発明によれば、被洗浄体支持部を落下用回転体と待機用回転体の組合せ構造としたため装置全体を簡単な構造にすることができる。
【００１１】
一方、上下二段に構成された落下用回転体と待機用回転体が同期して回転することで、多段に積重ねられた最下位の被洗浄体は被洗浄体支持部の待機用回転体の待機支持面で支持された後、支持解除用切欠部を介して落下し下位の落下用回転体の受面によって支持することができる。この時、上位の待機用回転体の待機支持面は最下位と次に位置する二番目の被洗浄体の間に入り込み最下位の被洗浄体が支持解除用切欠部を介して被洗浄体受部に落下するまで仮支持を続けることができる。
【００１２】
仮支持された二番目の被洗浄体は最下位の被洗浄体が落下すると支持部位に回動してくる落下用回転体の受面に対して二番目の被洗浄体を支持解除用切欠部によって支持を解除し落下させることができる。以下、前記動作を繰返すことで、多段に積重ねられた被洗浄体を１つ１つ迅速に落下させることができると共に、作業性の向上が図れるようになる。
【発明を実施するための最良の形態】
【００１３】
本発明の第１は、前記２段の落下用回転体と待機用回転体の内、少なくても待機用回転体を、最下位の被洗浄体と次に位置する二番目の被洗浄体の隙間より薄い板厚の形状とし、多段に積重ねられた最下位と次に位置する二番目の被洗浄体の間に確実に入り込めるようにする。
【００１４】
第２は、前記被洗浄体受部に、落下した被洗浄体を洗浄装置へ向けて搬送する搬送装置を備えることで、落下した被洗浄体を迅速に洗浄装置へ向けて送り出せるようにする。
【００１５】
第３は、前記落下用回転体と待機用回転体の間で、前記待機用回転体の外周裏面に、重なり合った被洗浄体同志を引き離す引き離し部材を設けることで、強く重なり合った被洗浄体同志を確実に分離し、最下位の被洗浄体を確実に落下させることができるようにする。
【実施例】
【００１６】
以下、図１乃至図９の図面を参照しながら本発明の実施形態について具体的に説明する。
【００１７】
図１は本発明にかかる被洗浄体送り出し装置の概要平面図を示している。被洗浄体送り出し装置１は、卵容器等の被洗浄体３を所定の高さに積重ねてセットする被洗浄体セット部５と、被洗浄体セット部５にセットされた最下位の被洗浄体３を支持する対向配置された４箇所の被洗浄体支持部７ａ，７ｂと、被洗浄体支持部７ａ，７ｂによって支持が解除され落下した被洗浄体３を受ける被洗浄体受部９とを有する構造となっている。
【００１８】
被洗浄体３は図５に示す如くこの実施形態では養鶏場から卵を出荷する時に使用される卵容器となっていて板状に形成された容器本体３ａに対して卵を入れる窪み部３ｂが縦・横に整列して設けられ、使用後は回収して繰返し使用される。
【００１９】
被洗浄体セット部５は、図１に示す如く被洗浄体３の縦，横の寸法と同じに形成された矩形の枠体１１に、前記した被洗浄体支持部７ａ，７ｂと案内ガイド体１３がそれぞれ設けられている。
【００２０】
案内ガイド体１３は、矩形に形成された前記枠体１１の前後（図１上下）に各１箇所と、左右（図１左右）に各２箇所ずつそれぞれ設けられている。
【００２１】
この実施形態の案内ガイド体１３は上方が開放された一対の対向し合うロッド状に作られ、被洗浄体セット部５に多段に積重ねてセットされた被洗浄体３を所定の高さに揃えて前後・左右に位置ずれを起こすことなく正しく保持する一方、多段に積重ねられた状態のまま正確に下降させるガイド規制壁として機能している。
【００２２】
洗浄体支持部７ａ，７ｂは、図１，上２箇所が第１、第２の洗浄体支持部７ａ、図１下２箇所が第３、第４の洗浄体支持部７ｂとなっていて、図３に示すように上下の軸受１５によって回転自在に両端支持された回転軸１７に上下２段の落下用回転体１９と待機用回転体２１がそれぞれ装着された組合せ構造となっている。
【００２３】
第１〜第４の洗浄体支持部７ａ，７ｂの各回転軸１７には、その下部に１つ又は２つのスプロケット２３が設けられ、図１に示す如く第１の駆動モータＭ１からの回転動力がチェーン２５を介して伝達されることで、各洗浄体支持部７ａ，７ｂの落下用回転体１９と待機用回転体２１が同期して回転することが可能となっている。
【００２４】
この時の第１、第２の洗浄体支持部７ａの回転方向は図１に示す如く左回転と右回転、第３、第４の洗浄体支持部７ｂは右回転と左回転となっていて、互いに打ち消し合う回転の向きによって搬送作用が生まれることなく被洗浄体３の支持が可能となっている。
【００２５】
下位の落下用回転体１９は、図４に示す如く円板状に形成され、その一部分が１２０°にわたってカットされた落下用の支持解除用切欠部１９ａと残りの２４０°の領域となる半月状の受面１９ｂとからなっている。
【００２６】
図６は４箇所に配置された落下用回転体１９のみを示したもので、支持解除用切欠部１９ａが被洗浄体３を支持する支持部位Ｐに臨み平行線Ｘ上に揃った時に被洗浄体３の支持を解除し落下させることが可能となっている。
【００２７】
また、半月状の受面１９ｂが２点鎖線で示す如く支持部位Ｐに臨む時に被洗浄体３の受面領域（２４０°の領域）にわたって支持し続けることが可能となっている。
【００２８】
上位の待機用回転体２１は図４に示す如く円板状に形成され板厚αは図５に示すように積重ねられた被洗浄体３と被洗浄体３の隙間ｄより薄い板厚に作られているが、多段に積重ねられた被洗浄体３を支持できる十分な強度の面剛性を備えた材質で作られている。
【００２９】
上位の待機用回転体２１には、円板状の一部分が１２０°にわたってカットされた落下用の支持解除用切欠部２１ａと残りの２４０°の領域となる半月状の待機支持面２１ｂとからなり、待機用回転体２１の外周裏面には被洗浄体引き離し部材２３が設けられている。
【００３０】
被洗浄体引き離し部材２３は、上位の待機用回転体２１と落下用回転体１９の間に位置し、多段に積重ねられた重みで強く重なり合って落下せずに残る最下位の被洗浄体３に作用し次に位置する二番目の被洗浄体３から引き離しを行なう機能を備えている。
【００３１】
図７は４箇所に配置された待機用回転体２１のみを示したもので、支持解除用切欠部２１ａが被洗浄体３を支持する支持部位Ｐに臨み平行線上に揃った時に被洗浄体３の支持を解除し落下させることが可能となっている。半月状の待機支持面２１ｂは２点鎖線で示す如く支持部位Ｐ２臨む時に被洗浄体３の支持領域（２４０°の領域）にわたって支持し続けることが可能となっている。
【００３２】
落下用回転体１９と待機用回転体２１の関係は、図９に示す如く０°〜３６０°回転する内、０°の時、１２０°の領域にわたってカットされた落下用回転体１９の支持解除切欠部１９ａと待機用回転体２１の支持解除用切欠部２１ａは０°を通る中心線Ｙ上に対して山形状となる上下に組合せセットされた構造となっている。これにより、残りの２４０°の領域の一方は半月状の受面１９ｂ、他方は半月状の待機支持面２１ｂとなり、上位の待機用回転体２１の待機支持面２１ｂは、支持部位Ｐに臨み支持部位Ｐを通過するまで被洗浄体３の支持が可能となっている。
【００３３】
図９は４箇所ある内、１箇所の落下用回転体１９と待機用回転体２１の０°の時から３６０°まで回転した時の各動作図を示している。これによると、落下用回転体１９と待機用回転体２１が６０°の時、最下位の被洗浄体３は待機用回転体２１から落下用回転体１９の受面１９ｂに落下する回転位置となっている。以下、１５０°の時、最下位の次に位置する二番目の被洗浄体３の間に待機用回転体２１の待機支持面２１ｂが入り込む仮支持回転位置、２４０°の時、引き離し部材２３により被洗浄体３を下方へ向けて強制的に引き離す引き離し回転位置、３６０°の時、０°と同じとなり前記動作を繰返すようになっている。
【００３４】
一方、被洗浄体受部９は、図１に示すように第２の駆動モータＭ２によって回転動力が与えられる駆動スプロット２５と従動スプロット２７とに搬送チェーン２９が平行に掛け回された搬送装置となっていて、落下した被洗浄体３を図外の洗浄装置へ向け強制的に迅速に搬送が行なわれるようになっている。
【００３５】
この場合、被洗浄体受部９は必ずしも搬送チェーンタイプの搬送装置に特定されず滑り台タイプであってもよい。
【００３６】
このように構成された被洗浄体送り出し装置によれば、上下二段に構成された落下用回転体１９と待機用回転体２１が同期して回転することで積重ねられた最下位の被洗浄体３を上位の待機用回転体２１の待機支持面２１ｂで受けた後、支持解除用切欠部２１ａを介して下位の落下用回転体１９の受面１９ｂに落下させることができる。この時、上位の待機用回転体２１の待機支持面２１ｂは最下位と次に位置する二番目の被洗浄体３の間に入り込み最下位の被洗浄体３が支持解除用切欠部１９ａから落下するまで仮支持を続ける。この時、強く重なり合って落下しない場合、引き離し部材２３が作用し確実に落下させる。最下位の被洗浄体３が被洗浄体受部９に落下すると待機用回転体２１に仮支持された二番目の被洗浄体３は支持部位Ｐに回動してくる落下用回転体１９の受面１９ｂに対して二番目の被洗浄体３を支持解除用切欠部１９ａによって支持を解除し落下させる動作を繰返すことで、被洗浄体３の送り出しを行なう。
【００３７】
これら一連の作業において、４箇所に配置された被洗浄体支持部７ａ，７ｂの回転によって多段に積重ねられた被洗浄体３を１つ１つ引き離し確実に迅速に落下させることができるようになる。また、被洗浄体支持部を落下用回転体１９と待機用回転体２１の二段の組合せによって構造を簡単にできる。
【００３８】
なお、この実施形態では被洗浄体を卵に入れる卵容器として説明したが、必ずしも被洗浄体でなくてもよく、積重ね可能な容器であればどのようなものであってもよい。また、洗浄用だけではなく、新しく積重ねられたものを１つ１つ送り出す時に使用するものであってもよい。
【図面の簡単な説明】
【００３９】
【図１】本発明にかかる被洗浄体送り出し装置の概要平面図。
【図２】図１Ａ矢印からみた概要説明図。
【図３】一箇所の被洗浄体支持部を示した概要斜視図。
【図４】被洗浄体支持部の落下用回転体と待機用回転体を示した分解概要斜視図。
【図５】被洗浄体を積重ねた状態を示す一部分の概要説明図。
【図６】４箇所の落下用回転体のみを示した説明図。
【図７】４箇所の待機用回転体のみを示した説明図。
【図８】０°の時の４箇所の被洗浄体支持部の概要平面図。
【図９】落下用回転体と待機用回転体の０°から３６０°まで回転した時の動作説明図。
【符号の説明】
【００４０】
３    被洗浄体
５    被洗浄体セット部
７ａ，７ｂ    被洗浄体支持部
９    被洗浄体受部
１９    落下用回転体
１９ａ，２１ａ    支持解除用切欠部
２１    待機用回転体
２１ｂ    待機支持面
２３    引き離し部材
２９    搬送チェーン（搬送装置）
Ｐ    支持部位
【図１】
2008068905.tif 000003
【図２】
2008068905.tif 000004
【図３】
2008068905.tif 000005
【図４】
2008068905.tif 000006
【図５】
2008068905.tif 000007
【図６】
2008068905.tif 000008
【図７】
2008068905.tif 000009
【図８】
2008068905.tif 000010
【図９】
2008068905.tif 000011